(57)【特許請求の範囲】
【請求項１】
ウオッシャーノズル（Ｎ）を有する自動車（Ｖ）のボンネット（Ｂ）にラップフィルム（Ｆ）を貼着するためのラップフィルム貼着方法において、
ロール（Ｒ）から所定長さだけ引き出したラップフィルム（Ｆ）の後端側を該ラップフィルム（Ｆ）の幅方向に延在する仮貼着部材（１１）の上面に仮貼着する工程と、
仮貼着したラップフィルム（Ｆ）にウオッシャーノズル（Ｎ）の寸法よりも大きい開口（Ｆ1 ）を形成する工程と、
ラップフィルム（Ｆ）を仮貼着部材（１１）に沿ってロール（Ｒ）から切り離す工程と、
切り離したラップフィルム（Ｆ）を前記開口（Ｆ1 ）がウオッシャーノズル（Ｎ）の周囲を囲むようにボンネット（Ｂ）に貼着する工程と、
を備えたことを特徴とするラップフィルム貼着方法。
【発明の詳細な説明】
【０００１】
【産業上の利用分野】
本発明は、ウオッシャーノズルを有する自動車のボンネットにラップフィルムを貼着するためのラップフィルム貼着方法に関する。
【０００２】
【従来の技術】
工場で完成した自動車がユーザーの手に渡るまでの輸送中及び保管中に、酸性雨、鳥糞、鉄粉、砂塵等により塗装面に変色や傷等の欠陥が生じるのを防止するために、塗装面に保護用のラップフィルムを貼着する方法がある。
【０００３】
ところで、自動車のボンネットにはフロントガラスを洗浄するウオッシャー液を噴出させるウオッシャーノズルが設けられているが、このウオッシャーノズルをラップフィルムで覆ってしまうと、タンクとウオッシャーノズル間に残留するウオッシャー液が温度変化等で外部に押し出され、ラップフィルムと塗装面との間に浸入する不具合がある。そのため、ボンネットにラップフィルムを貼着した後、ラップフィルムのウオッシャーノズルを覆う部分をカッターナイフで切除することが行われていたが、その際に未熟な作業者がボンネットの塗装面をカッターナイフで傷付けてしまう問題があった。
【０００４】
そこで、塗装面に突出するウオッシャーノズル等の突起の周囲に予め穴あき粘着フィルムを貼着し、その上からラップフィルムを貼着した後に、前記穴あき粘着フィルムの上からラップフィルムをカッターナイフで切除する方法が、特開平５−２３７９３５号公報により提案されている。
【０００５】
【発明が解決しようとする課題】
しかしながら、上記従来の方法は特別の穴あき粘着フィルムが必要となってコストが嵩むばかりか、依然としてカッターナイフで塗装面を傷付ける可能性があった。
【０００６】
本発明は前述の事情に鑑みてなされたもので、ウオッシャーノズルを塞がないようにボンネットにラップフィルムを貼着する際に、塗装面を傷付けるのを確実に防止することを目的とする。
【０００７】
【課題を解決するための手段】
前記目的を達成するために、請求項１に記載された発明は、ウオッシャーノズルを有する自動車のボンネットにラップフィルムを貼着するためのラップフィルム貼着方法において、ロールから所定長さだけ引き出したラップフィルムの後端側を該ラップフィルムの幅方向に延在する仮貼着部材の上面に仮貼着する工程と、仮貼着したラップフィルムにウオッシャーノズルの寸法よりも大きい開口を形成する工程と、ラップフィルムを仮貼着部材に沿ってロールから切り離す工程と、切り離したラップフィルムを前記開口がウオッシャーノズルの周囲を囲むようにボンネットに貼着する工程とを備えたことを特徴とする。
【０００８】
【作用】
請求項１の構成によれば、ロールから引き出したラップフィルムを仮貼着部材に仮貼着した状態で該ラップフィルムにウオッシャーノズルの寸法よりも大きい開口が形成される。続いてラップフィルムが仮貼着部材に沿ってロールから切り離され、切り離されたラップフィルムは前記開口がウオッシャーノズルの周囲を囲むようにボンネットに貼着される。
【０００９】
【実施例】
以下、図面に基づいて本発明の実施例を説明する。
【００１０】
図１〜図７は本発明の一実施例を示すもので、図１は自動車のボンネットに対するラップフィルムの貼着状態を示す斜視図、図２はラップフィルム貼着装置の正面図、図３は図２の３−３線断面図、図４は図２の４−４線拡大断面図、図５は図４の５−５線断面図、図６は図４の６−６線断面図、図７は図２の７−７線拡大断面図である。
【００１１】
図１に示すように、本実施例のラップフィルム貼着装置は、組立ラインに沿って配置されたコンベアＣによって搬送される自動車ＶのボンネットＢにラップフィルムＦを貼着するものであって、その際にボンネットＢに設けられた左右一対のウオッシャーノズルＮ，Ｎを塞がないように、予め一対の開口Ｆ1 ，Ｆ1 がラップフィルムＦに形成される。
【００１２】
図２及び図３に示すように、前記コンベアＣにより搬送される自動車Ｖを跨ぐように立設された門型フレーム１は、左右一対の側板２，２と、両側板２，２の上端間を接続する天板３とを備える。左右の側板２，２の上部間に自動車Ｖの搬送方向と直交する方向に架設されたロール支持軸４に、ラップフィルムＦのロールＲが回転自在に支持される。ロール支持軸４の下方に位置するように両側板２，２間に架設されたガイドローラ支持軸５に、ロールＲから引き出されたラップフィルムＦを案内するガイドローラ６が回転自在に支持される。
【００１３】
図４及び図５を併せて参照すると明らかなように、ラップフィルムカッティング装置７は左右の側板２，２間に架設されたガイドレール８を備えており、このガイドレール８の長手方向複数か所にボルト９…で固定したブラケット１０…に、上下一対の仮貼着部材１１，１１が支持される。仮貼着部材１１，１１はガイドレール８の上方及び下方に沿って平行に配置される。ガイドレール８に移動自在に支持される台車１２は、ガイドレール８の上縁及び下縁にそれぞれ係合する上下各一対の車輪１３…を備えた横長矩形状の第１基板１４と、この第１基板１４の前面に連結部材１５を挟んで２本のボルト１６，１６で固着された縦長矩形状の第２基板１７とからなる。第２基板１７に、作業者が握って台車１２を移動させるためのグリップ１８が螺着される。
【００１４】
図６を併せて参照すると明らかなように、第２基板１７の後面に、コ字状をなす上下一対のブラケット１９，１９を挟んで、上下一対の軸受部材２０，２０がそれぞれ２本のボルト２１…で固定される。両軸受部材２０，２０は左右方向に延びる棒状の部材であって、それらの左右両端部に回転自在に支持した合計４本の回転軸２２…に、一体に形成された円板状のカッター２３…及び第１プーリ２４…がそれぞれ支持される。両軸受部材２０，２０の中央部に植設した２本の回転軸２５，２５に、それぞれ第２プーリ２６，２６が回転自在に支持される。これら第２プーリ２６，２６は、「コ」字状のブラケット１９，１９の内部に収納されるとともに、第２基板１７に形成した開口１７1 ，１７1 に対向する。
【００１５】
一方の側板２に一端を固着された上下一対のワイヤー２７，２７の他端が、それらワイヤー２７，２７に張力を与えるためのスプリング２８，２８を介して他方の側板２に固着される。上側のワイヤー２７は台車１２に設けた上側の２個の第１プーリ２４，２４及び上側の第２プーリ２６に係合し、下側のワイヤー２７は台車１２に設けた下側の２個の第１プーリ２４，２４及び下側の第２プーリ２６に係合する。
【００１６】
第２基板１７の上端及び下端に、上側の２個のカッター２３，２３の上方に臨む前後一対のガイド板２９，２９と、下側の２個のカッター２３，２３の下方に臨む前後一対のガイド板２９，２９とが設けられる。
【００１７】
上述したラップフィルムカッティング装置７はガイドレール８を挟んで上下対称な構造を備えており、上下反転して使用することが可能である。
【００１８】
左右の側板２，２に支持されて前方に延びる２本のバー３０，３０に、自動車Ｖの機種に応じて位置の異なる複数の位置決めマーク３０1 ，３０1 ；３０2 ，３０2 ；３０3 ，３０3 が設けられる。
【００１９】
ラップフィルムパンチング装置３１は、門型フレーム１の天板３から前方に延びる２本の支持腕３２，３２と、この支持腕３２，３２の先端に支持された上部基板３３と、この上部基板３３に４本の支柱３４…を介して支持された下部基板３５と、この下部基板３５に下向きに支持された駆動源としてのシリンダ３６とを備える。下部基板３５に案内される一対のガイドロッド３７，３７の下端に設けられた昇降プレート３８が、シリンダ３６から下方に延びる出力ロッド３６1 に結合される。従って、シリンダ３６を伸縮駆動することにより、昇降プレート３８が昇降する。
【００２０】
門型フレーム１の前方に自動車Ｖを跨ぐように立設した一対の支持フレーム３９，３９の上端に、ウレタンゴム製のパンチングプレート４０が水平に支持される。パンチングプレート４０には一対の切断穴４０1 ，４０1 が開設されており、これら一対の切断穴４０1 ，４０1 に前記昇降プレート３８の下面に設けた一対の切刃４１，４１が上方から嵌合可能に対向する。
【００２１】
次に、前述の構成を備えた本発明の実施例の作用を説明する。
【００２２】
コンベアＣにより搬送されてきた自動車Ｖがラップフィルム貼着ステーションにおいて停止すると、作業者はロールＲからラップフィルムＦをバー３０，３０に沿って引き出し、その先端を自動車Ｖの機種に対応した所定の位置決めマーク３０1 ，３０1 ；３０2 ，３０2 ；３０3 ，３０3 に一致させる。この状態でラップフィルムＦを下降させると、ラップフィルムＦの後端側が仮貼着部材１１の上面に仮貼着され、更にラップフィルムＦの先端側がパンチングプレート４０の上面に仮貼着される。
【００２３】
このとき、ラップフィルムＦの引き出しの邪魔にならないように、ラップフィルムカッティング装置７の台車１２は図２に示す位置に退避している。
【００２４】
続いて、ラップフィルムパンチング装置３１のシリンダ３６を伸縮駆動して昇降プレート３８を下方及び上方に一往復ストロークさせると、一対の切刃４１，４１がパンチングプレート４０，４０の一対の切断穴４０1 ，４０1 に上方から嵌合し、ラップフィルムＦに一対の開口Ｆ1 ，Ｆ1 が形成される。このように、ラップフィルムＦをパンチングプレート４０，４０の上面に仮貼着した状態で切刃４１，４１を切断穴４０1 ，４０1 に嵌合させているので、ラップフィルムＦが引っ張られて延びたり歪んだりすることなく、体裁の良い開口Ｆ1 ，Ｆ1 を精度良く形成することができる。
【００２５】
次に、作業者がラップフィルムカッティング装置７のグリップ１８を握って台車１２をガイドレール８に沿って移動させると、ラップフィルムＦの一側縁が台車１２に設けた上側のガイド板２９と上側の一対のカッター２３，２３との間に導かれ、カッター２３，２３によってラップフィルムＦが切断される。
【００２６】
このとき、ラップフィルムＦは仮貼着部材１１の上面に仮貼着されており、且つ上方からガイド板２９によって押さえられているので、下方からカッター２３，２３が当接してもラップフィルムＦは上方に逃げることができず、確実に切断される。しかも、台車１２の移動に伴っワイヤー２７に係合する第１プーリ２４，２４及び第２プーリ２６が回転すると、第１プーリ２４，２４と一体のカッター２３，２３が回転するため、ラップフィルムＦを切れ味良く切断することができる。尚、ワイヤー２７に係合する第１プーリ２４，２４及び第２プーリ２６は、台車１２の移動に所定の抵抗を与えるため、その移動速度を一定に保持する機能も備えている。
【００２７】
而して、ロールＲから所望の長さのラップフィルムＦが切り離されると、二人の作業員がラップフィルムＦの四隅を持って仮貼着部材１１及びパンチングプレート４０から引き剥がし、そのラップフィルムＦを自動車ＶのボンネットＢ上に移動させる。そして、ラップフィルムＦを、その一対の開口Ｆ1 ，Ｆ1 が一対のウオッシャーノズルＮ，Ｎに一致するようにボンネットＢ上に載置した後、ゴム製のスキージでボンネットＢに貼着する。
【００２８】
上述したように、予めラップフィルムＦに開口Ｆ1 ，Ｆ1 を形成することにより、未熟な作業者であっても容易且つ確実にラップフィルムＦの貼着作業を行うことができ、しかもカッターナイフによるボンネットＢの塗装面の損傷を確実に回避することができる。
【００２９】
以上、本発明の実施例を詳述したが、本発明はその要旨を逸脱しない範囲で種々の設計変更を行うことが可能である。
【００３０】
例えば、請求項１の発明において、ラップフィルムＦの開口Ｆ1 ，Ｆ1 を任意の手段で形成することが可能であり、またラップフィルムＦを任意の手段でロールＲから切り離すことが可能である。
【００３１】
【発明の効果】
以上のように、請求項１に記載された発明によれば、ロールから所定長さだけ引き出したラップフィルムの後端側を該ラップフィルムの幅方向に延在する仮貼着部材の上面に仮貼着する工程と、仮貼着したラップフィルムにウオッシャーノズルの寸法よりも大きい開口を形成する工程と、ラップフィルムを仮貼着部材に沿ってロールから切り離す工程と、切り離したラップフィルムを前記開口がウオッシャーノズルの周囲を囲むようにボンネットに貼着する工程とにより、未熟な作業者であってもボンネットの塗装面を傷付けることなくラップフィルムを貼着することができるばかりか、仮貼着部材によりラップフィルムを安定良く保持して切断作業を容易且つ確実に行うことができる。
【図面の簡単な説明】
【図１】自動車のボンネットに対するラップフィルムの貼着状態を示す斜視図
【図２】ラップフィルム貼着装置の正面図
【図３】図２の３−３線断面図
【図４】図２の４−４線拡大断面図
【図５】図４の５−５線断面図
【図６】図４の６−６線断面図
【図７】図２の７−７線拡大断面図
【符号の説明】
Ｂ          ボンネット
Ｆ          ラップフィルム
Ｆ1         開口
Ｎ          ウオッシャーノズル
Ｒ          ロール
Ｖ          自動車
１１        仮貼着部材
【図１】
0003565916.tif 000002
【図２】
0003565916.tif 000003
【図３】
0003565916.tif 000004
【図４】
0003565916.tif 000005
【図５】
0003565916.tif 000006
【図６】
0003565916.tif 000007
【図７】
0003565916.tif 000008